(57)【特許請求の範囲】
【請求項１】
井戸ケーシングの地上開口部を閉塞する井戸ふた本体を有し、この井戸ふた本体は、上記井戸ケーシングに挿入された揚水管を境として揚水管の径方向に突き合わせ可能に分割された一対のふた体を備えるとともに、上記井戸ふた本体の中央部を上記揚水管が貫通する深井戸水中ポンプ用井戸ふたにおいて、
上記一対のふた体は、夫々の分割端に上記ふた体の突き合わせ方向とは直交する方向に延びる壁部を有し、これらふた体の壁部は、連結手段によって分離可能に連結されるとともに互いに突き合わされる合面を有し、上記各壁部の合面に、上記壁部を上記連結手段によって連結した時に上記揚水管を挟み込んで保持する保持部を形成したことを特徴とする深井戸水中ポンプ用井戸ふた。
【請求項２】
請求項１の記載において、上記一対のふた体は、互いに同一の形状を有していることを特徴とする深井戸水中ポンプ用井戸ふた。
【発明の詳細な説明】
【０００１】
【発明の属する技術分野】
本発明は、井戸ケーシングの地上開口部を塞ぐ簡易形の深井戸水中ポンプ用井戸ふたに関する。
【０００２】
【従来の技術】
深井戸水中ポンプの据え付けに用いられる井戸ふたは、地中に埋設された井戸ケーシングの地上開口部に取り付けられている。この種の井戸ふたは、井戸ケーシングの地上開口部を閉塞する円盤状の井戸ふた本体を有し、この井戸ふた本体の中央部に深井戸水中ポンプに連なる揚水管を通すための挿通孔が開口されている。そして、井戸ふた本体を貫通して地上に導出された揚水管の上流端は、エルボのような管継手や各種の弁装置を介して給水用の配管に接続されている。
【０００３】
ところで、深井戸水中ポンプを井戸ケーシングの内部に設置するに当たっては、まず、揚水管が接続された深井戸水中ポンプを井戸ケーシングの内部に降ろし、この揚水管の上端部を治具等により井戸ケーシングの地上開口部に仮固定する。次に、井戸ふた本体の挿通孔に揚水管の上端部を挿入することで、井戸ふた本体を揚水管に取り付け、この井戸ふた本体で井戸ケーシングの地上開口部を閉塞する。
【０００４】
このことにより、深井戸水中ポンプが揚水管を介して井戸ふた本体から吊り下げられ、井戸ケーシングの内部の所定位置に設置されるようになっている。
【０００５】
【発明が解決しようとする課題】
従来の井戸ふた本体は、井戸ケーシングの地上開口部を閉塞し得るような大きさを有する一体構造をなしている。そのため、井戸ふた本体を井戸ケーシングの地上開口部に固定する際には、予め専用の治具を用いて揚水管の上端部を井戸ケーシングの地上開口部に仮固定しなくてはならず、その分、作業工数が多くなる。
【０００６】
しかも、揚水管の上流端に接続されるエルボのような管継手は、通常、揚水管の端部外周面にねじ込まれるので、揚水管に管継手を接続してしまうと、この管継手が邪魔となって井戸ふた本体の挿通孔に揚水管を差し込むことができなくなる。そのため、揚水管に管継手を接続する以前の段階で、揚水管を井戸ふた本体の挿通孔に通しておく必要があり、井戸ふた本体が一体構造物であるが故に、この井戸ふた本体の据え付け手順に大幅な制約が生じてくる。
【０００７】
したがって、井戸ふた本体を据え付ける際の作業性が悪化し、この井戸ふた本体の固定に要する作業工数が多くなることと合わせて作業に多大な手間と労力を要することがあり、この点においていま一歩改善の余地が残されている。
【０００８】
本発明は、このような事情にもとづいてなされたもので、井戸ふた本体の据え付け時の作業性を改善することができ、しかも、構造簡単で安価な深井戸水中ポンプ用井戸ふたの提供を目的とする。
【０００９】
【課題を解決するための手段】
上記目的を達成するため、本発明の一つの形態に係る深井戸水中ポンプ用井戸ふたは、
井戸ケーシングの地上開口部を閉塞する井戸ふた本体を有している。井戸ふた本体は、上記井戸ケーシングに挿入された揚水管を境として揚水管の径方向に突き合わせ可能に分割された一対のふた体を備えるとともに、上記井戸ふた本体の中央部を上記揚水管が貫通している。
上記一対のふた体は、夫々の分割端に上記ふた体の突き合わせ方向とは直交する方向に延びる壁部を有している。これらふた体の壁部は、連結手段によって分離可能に連結されるとともに互いに突き合わされる合面を有し、上記各壁部の合面に、上記壁部を上記連結手段によって連結した時に上記揚水管を挟み込んで保持する保持部を形成したことを特徴としている。
【００１０】
このような構成に置いて、井戸ふた本体を用いて井戸ケーシングの地上開口部を閉塞するには、予め井戸ふた本体を一対のふた体に分離させる。そして、ふた体の合面間に揚水管が位置するように、これらふた体を井戸ケーシングの地上開口部に被せたならば、ふた体の合面を互いに突き合わせるとともに、これらふた体の壁部を連結手段を介して連結する。この連結により、ふた体が一体的に結合されて井戸ふた本体として組み立てられ、この井戸ふた本体によって井戸ケーシングの地上開口部が塞がれるとともに、ふた体の保持部によって揚水管が保持される。
【００１１】
したがって、井戸ふた本体で井戸ケーシングの地上開口部を塞ぐ際に、この地上開口部から突出する揚水管を井戸ふた本体に通しておく必要はなく、井戸ふた本体の据え付け手順の自由度が増大する。
【００１２】
また、ふた体は、揚水管の径方向に突き合わされるので、これらふた体を突き合わせて連結すると同時に揚水管が井戸ふた本体に保持される。このため、井戸ふた本体が揚水管の上端部を井戸ケーシングに仮固定する治具としての機能を兼ねることになり、従来必要としていた仮固定用の治具およびこの治具の取り付け作業を不要とすることができる。
【００１３】
しかも、井戸ふた本体は、単に一対のふた体に二分割するだけで良いので、その形状や構成が複雑化することはなく、安価に提供することができる。加えて、壁部の存在により、ふた体の接触面積を充分に確保できるとともに、壁部がふた体の突き合わせ部分を補強するリブとしての機能を果たし、ふた体の突き合わせ部分の強度を高めることができる。
【００１４】
請求項２によれば、一対のふた体は、互いに同一の形状を有しているので、これらふた体を型成形する場合に、成形型は一種類のみで済むことになり、その分、製造コストを低減できる。
【００２１】
【発明の実施の形態】
以下本発明の第１の実施の形態を、図１ないし図６にもとづいて説明する。
【００２２】
図１は、例えば地下水を汲み上げるために地中深く掘られた円筒状の井戸１を示している。井戸１の内壁は、この井戸１内に挿入された円筒状の井戸ケーシング２によって構成されている。井戸ケーシング２は、その上端に地面から僅かに突出された地上開口部２ａを有している。
【００２３】
井戸ケーシング２の内部には、円柱状の深井戸水中ポンプ３が設置されている。深井戸水中ポンプ３は、ポンプケーシング４と、このポンプケーシング４の下端部に同軸状に連結された水中モータ５とを備えている。ポンプケーシング４の内部には、複数の羽根車（図示せず）が同軸状に一列に並べて収容されており、これら羽根車は、水中モータ５によって回転駆動されるようになっている。
【００２４】
ポンプケーシング４の上端部には、吐出口（図示せず）に連なる揚水管６が接続されている。揚水管６は、ポンプケーシング４から上向きに延びて、井戸ケーシング２の地上開口部２ａから地上に引き出されている。地上に引き出された揚水管６の上端部には、エルボ７を介して給水配管８が接続されている。エルボ７は、揚水管６よりも大きな外径を有し、このエルボ７と揚水管６との接続部分には、揚水管６の径方向外側に向けて直角に張り出す段差部９（図６に示す）が形成されている。
【００２５】
また、水中モータ５から導出されたモータケーブル１０は、揚水管６の外周面に沿って上方に導かれている。このモータケーブル１０は、揚水管６の地上開口部２ａから外方に引き出されている。
【００２６】
井戸ケーシング２の地上開口部２ａは、本発明に係る井戸ふた１２によって塞がれている。井戸ふた１２は、地上開口部２ａを塞ぐとともに、揚水管６を介して深井戸水中ポンプ３を吊り下げるためのものであり、以下この井戸ふた１２について詳細に説明する。
【００２７】
図３に示すように、井戸ふた１２は、円盤状の井戸ふた本体１３を有している。井戸ふた本体１３は、井戸ケーシング２よりも大径な円盤状をなしており、この井戸ふた本体１３の中央部に上向きに突出する円筒状の座部１４が形成されている。この座部１４の内部空間は、揚水管６を通すための挿通孔１５を構成しており、この挿通孔１５の口径は、上記エルボ７の外径よりも小さく設定されている。
【００２８】
図６に示すように、井戸ふた本体１３は、その中央の座部１４から径方向外側に進むに従い下向きに傾斜されている。そのため、井戸ふた本体１３は、下向きに開放するような略椀状をなしている。
【００２９】
井戸ふた本体１３は、井戸ケーシング２の地上開口部２ａと向かい合う裏面１３ａを有している。この裏面１３ａには、リング状の第１ないし第３の受け座１８ａ，１８ｂ，１８ｃが形成されている。第１ないし第３の受け座１８ａ，１８ｂ，１８ｃは、直径が互いに異なっており、上記座部１４を中心として同心円状に並べて配置されている。
【００３０】
すなわち、最も小径の第１の受け座１８ａは、例えば口径が100mmの井戸ケーシング２に対応するものであり、この第１の受け座１８ａに井戸ケーシング２の地上開口部２ａの開口縁が突き当たるようになっている。第１の受け座１８ａを取り囲む第２の受け座１８ｂは、例えば口径が125mmの井戸ケーシング２に対応するものであり、この第２の受け座１８ｂに井戸ケーシング２の地上開口部２ａの開口縁が突き当たるようになっている。第２の受け座１８ｂを取り囲む第３の受け座１８ｃは、例えば口径が150mmの井戸ケーシング２に対応するものであり、この第３の受け座１８ｃに井戸ケーシング２の地上開口部２ａの開口縁が突き当たるようになっている。
【００３１】
そして、図５に最も良く示されるように、第２の受け座１８ｂは第１の受け座１８ａよりも下方に張り出しているとともに、第３の受け座１８ｃは第２の受け座１８ｂよりも下方に張り出している。このことから、第１の受け座１８ａと第２の受け座１８ｂとの間および第２の受け座１８ｂと第３の受け座１８ｃとの間には、夫々上下方向の段差１９が形成されており、これら段差１９の内側に口径100mmの井戸ケーシング２又は口径125mmの井戸ケーシング２の開口縁が夫々位置されるようになっている。
【００３２】
第３の受け座１８ｃの外周縁部には、下向きに張り出すフランジ部２０が形成されている。フランジ部２０は、第３の受け座１８ｃの周方向に連続しており、このフランジ部２０の内側に口径150mmの井戸ケーシング２の開口縁が位置されるようになっている。
【００３３】
したがって、井戸ふた本体１３で井戸ケーシング２の地上開口部２ａを塞ぐに当たり、井戸ケーシング２の口径が100mm又は125mmの時は、段差１９の内側に井戸ケーシング２の開口縁が位置するように、井戸ふた本体１３を井戸ケーシング２の地上開口部２ａに被せれば、この段差１９の存在によって井戸ふた本体１３の径方向の自由な移動が制限され、井戸ふた本体１３と井戸ケーシング２との位置合わせがなされる。
【００３４】
同様に井戸ケーシング２の口径が150mmの時は、フランジ部２０の内側に井戸ケーシング２の開口縁が位置するように、井戸ふた本体１３を井戸ケーシング２に被せれば、フランジ部２０の存在によって井戸ふた本体１３の径方向の自由な移動が制限され、井戸ふた本体１３と井戸ケーシング２との位置合わせがなされる。
【００３５】
図３および図４に示すように、井戸ふた本体１３は、上記揚水管６が通る座部１４を境として第１のふた体２２と第２のふた体２３とに径方向に二分割されている。第１および第２のふた体２２，２３は、互いに同一の形状を有する鋳造成形品にて構成されている。
【００３６】
第１および第２のふた体２２，２３の分割端には、上向きに張り出す壁部２４が形成されている。壁部２４は、各ふた体２２，２３の分割端に平坦な合面２５を構成しており、夫々のふた体２２，２３の合面２５は、互いに突き合わされるようになっている。このため、壁部２４は第１および第２のふた体２２，２３の突き合わせ方向とは直交するように、井戸ふた本体１３の直径方向に沿って一直線上に延びている。
【００３７】
壁部２４の中央部には、合面２５とは反対側に向けて張り出す凸部２６が形成されている。そして、合面２５における凸部２６に対応する位置には、円弧状に窪むような保持部２７が形成されている。保持部２７は、壁部２４の上端面および井戸ふた本体１３の裏面１３ａに夫々開口されており、第１および第２のふた体２２，２３を突き合わせた時に、互いに協働して上記挿通孔１５を構成するようになっている。
【００３８】
また、各ふた体２２，２３の合面２５には、夫々一対の凹部２９ａ，２９ｂが形成されている。凹部２９ａ，２９ｂは、保持部２７を挟んだ両側において壁部２４の上端面および井戸ふた本体１３の裏面１３ａに夫々開口されており、上記最も小径な第１の受け座１８ａよりも井戸ふた本体１３の径方向内側に位置されている。
【００３９】
凹部２９ａ，２９ｂは、第１および第２のふた体２２，２３を突き合わせた時に、互いに協働して一対のケーブル挿通孔３０ａ，３０ｂに構成しており、この一方のケーブル挿通孔３０ａを通じて上記モータケーブル１０が井戸ケーシング２の外方に引き出されている。
【００４０】
なお、他方のケーブル挿通孔３０ｂは、ゴム製の栓体３１によって塞がれている。
【００４１】
図４に示すように、第１および第２のふた体２２，２３の壁部２４には、一対の通孔３４ａ，３４ｂが開口されている。通孔３４ａ，３４ｂは、壁部２４の両端部に位置され、第１および第２のふた体２２，２３を突き合わせた時に互いに連通するようになっている。
【００４２】
第１および第２のふた体２２，２３は、連結手段としてのボルト３５およびナット３６を介して分離可能に連結されている。ボルト３５は、第１および第２のふた体２２，２３の通孔３４ａ，３４ｂを貫通しており、この貫通端にナット３６がねじ込まれている。このナット３６のねじ込みにより、第１および第２のふた体２２，２３は、その合面２５を互いに突き合わせた状態で連結され、井戸ふた本体１３として組み立てられている。
【００４３】
そして、第１および第２のふた体２２，２３を連結した状態では、座部１４の上端面に揚水管６とエルボ７との接続部分に生じた段差部９が引っ掛かっており、このことにより揚水管６を介して深井戸水中ポンプ３が井戸ケーシング２内に吊り下げられている。
【００４４】
このような構成において、井戸ふた１２を用いて深井戸水中ポンプ３を井戸ケーシング２内に吊り下げるには、予めボルト３５およびナット３６による第１および第２のふた体２２，２３の連結を解除し、これらふた体２２，２３を互いに分離させる。
【００４５】
次に、第１および第２のふた体２２，２３を井戸ケーシング２の地上開口部２ａに載せ、これらふた体２２，２３の合面２５を互いに突き合わせる。この際、揚水管６の上端部を各ふた体２２，２３の保持部２７の間に導き、これら保持部２７で揚水管６を挟み込むとともに、モータケーブル１０を各ふた体２２，２３の凹部２９ａの間に導き、これら凹部２９ａでモータケーブル１０を挟み込む。
【００４６】
次に、通孔３４ａ，３４ｂに夫々ボルト３５を挿入し、これらボルト３５の挿入端にナット３６をねじ込んでいく。このことにより、第１および第２のふた体２２，２３が合面２５を互いに突き合わせた状態で連結され、井戸ふた本体１３として組み立てられる。
【００４７】
第１および第２のふた体２２，２３が連結されると、保持部２７によって挿通孔１５を有する座部１４が構成され、この挿通孔１５を揚水管６が貫通するとともに、この揚水管６とエルボ７との接続部分に生じた段差部９が座部１４の上端面に引っ掛かる。このため、揚水管６が井戸ふた本体１３に連結され、この揚水管６を介して深井戸水中ポンプ３が井戸ケーシング２の内部に吊り下げ保持される。
【００４８】
それとともに、第１および第２のふた体２２，２３の連結に伴い、その壁部２４の凹部２９ａ，２９ｂによってケーブル挿通孔３０ａ，３０ｂが構成され、一方のケーブル挿通孔３０ａを通じてモータケーブル１０が地上に引き出される。
【００４９】
このような構成によれば、井戸ふた本体１３は、第１および第２のふた体２２，２３とに径方向に二分割されているので、揚水管６を通す挿通孔１５やモータケーブル１０を通すケーブル挿通孔３０ａは、上記ふた体２２，２３を突き合わせることによって構成される。このため、井戸ふた本体１３で井戸ケーシング２の地上開口部２ａを塞ぐ際には、揚水管６やモータケーブル１０を間に挟み込むようにして第１および第２のふた体２２，２３を互いに突き合わせて連結すれば良く、揚水管６やモータケーブル１０を井戸ふた本体１３に差し通すといった面倒な作業が不要となる。
【００５０】
よって、井戸ふた本体１３を井戸ケーシング２の地上開口部２ａに取り付けるに先立って、揚水管６やモータケーブル１０を井戸ふた本体１３に通しておく必要はなく、井戸ふた本体１３の据え付け手順の自由度が増大する。
【００５１】
それとともに、井戸ふた本体１３は、揚水管６を挟み込むようにして井戸ケーシング２の地上開口部２ａに取り付けられるので、この揚水管６の上端部に予めエルボ７を介して給水配管８を接続しておくことができる。このため、揚水管６への配管接続作業が完了した後に、この揚水管６に井戸ふた本体１３を取り付けることができ、上記井戸ふた本体１３の据え付け手順の自由度が増大することと合わせて、作業性が良好となる。
【００５２】
しかも、揚水管６は、第１および第２のふた体２２，２３の保持部２７によって挟み込まれるので、これらふた体２２，２３が揚水管６を井戸ケーシング２に仮固定する治具としての機能を兼用することになり、従来必要としていた仮固定用の治具およびこの治具の取り付け作業を不要とすることができる。
【００５３】
また、第１および第２のふた体２２，２３の凹部２９ａ，２９ｂは、これらふた体２２，２３を突き合わせた時に互いに協働してケーブル挿通孔３０ａ，３０ｂを構成するので、モータケーブル１０をケーブル挿通孔３０ａに通すに当たっては、単にモータケーブル１０を凹部２９ａ，２９ｂの間で挟み込めば良い。このため、モータケーブル１０をケーブル挿通孔３０ａに差し込む必要はなく、このケーブル挿通孔３０ａの口径を必要最小限に抑えることができる。
【００５４】
したがって、モータケーブル１０とケーブル挿通孔３０ａとの間から隙間を排除できるので、ケーブル挿通孔３０ａを通じて土砂や埃等の異物が井戸ケーシング２の内部に侵入することはなく、水質を良好に維持することができる。
【００５５】
また、井戸ふた本体１３は、単に第１および第２のふた体２２，２３に二分割すれば良いので、個々のふた体２２，２３の形状や構成が複雑化することはない。それとともに、第１および第２のふた体２２，２３は、互いに同一の形状を有するので、これらふた体２２，２３を鋳造成形する場合に、成形型は一種類あれば良いことになる。そのため、高価な成形型を数多く準備する必要はなく、井戸ふた本体１３の製造コストを低減することができる。
【００５６】
さらに、第１および第２のふた体２２，２３は、その分割端にふた体２２，２３の突き合わせ方向と直交する方向に延出された壁部２４を有し、これら壁部２４が平坦な合面２５を構成するので、第１および第２のふた体２２，２３の接触面積を十分に確保できる。それとともに、第１および第２のふた体２２，２３を突き合わせた状態では、壁部２４が井戸ふた本体１３の径方向に延びるので、これら壁部２４が第１および第２のふた体２２，２３の突き合わせ部分を補強するリブとしての機能を果たし、井戸ふた本体１３の強度が増大する。
【００５７】
このため、井戸ふた本体１３の薄肉化が可能となり、その分、井戸ふた本体１３が軽量化されて取り扱いを容易に行うことができる。
【００５８】
さらに、第１および第２のふた体２２，２３は、その通孔３４ａ，３４ｂにボルト３５を通した後、このボルト３５の挿通端をナット３６で締め付けることにより結合されるので、これらふた体２２，２３を連結するに当たって大掛かりな手間のかかる作業は一切不要となる。このため、第１および第２のふた体２２，２３の連結作業を手作業により容易に行うことができ、この点でも井戸ふた本体１３の据え付け時の作業性向上に寄与することになる。
【００５９】
加えて、上記構成の井戸ふた１２によると、井戸ふた本体１３の裏面１３ａに直径が異なるリング状の第１ないし第３の受け座１８ａ〜１８ｃが同心円状に形成され、隣り合う受け座１８ａ〜１８ｃの間に上下方向の段差１９が形成されている。このため、井戸ふた本体１３を井戸ケーシング２の地上開口部２ａに被せるに当たり、井戸ケーシング２の口径に対応するような受け座１８ａ〜１８ｃを選択してこの受け座１８ａ〜１８ｃを井戸ケーシング２の開口縁に突き当てれば、この井戸ケーシング２の開口縁は、隣り合う受け座１８ａ〜１８ｃの間の段差１９又は最外周のフランジ部２０で取り囲まれることになる。
【００６０】
したがって、井戸ふた本体１３の径方向へのずれを防止することができ、井戸ケーシング２と井戸ふた本体１３との位置合わせを容易に行えるとともに、一つの井戸ふた本体１３で口径が異なる複数の井戸ケーシング２に対応することができる。
【００６１】
その上、井戸ふた本体１３は、揚水管６が引っ掛かる中央部から径方向外側に進むに従い下向きに傾斜されているので、この井戸ふた本体１３で揚水管６を保持した時に、この井戸ふた本体１３が水平な場合に比べて井戸ふた本体１３が変形し難くなり、揚水管６の吊り下げ強度が増大する。このため、井戸ふた本体１３を薄肉化なものとして軽量化を図ることができる。
【００６２】
また、同心円状に並んだ第１ないし第３の受け座１８ａ〜１８ｃは、径方向外側に進むに従い階段状に下向きに突出されているので、上記井戸ふた本体１３の傾斜方向と第１ないし第３の受け座１８ａ〜１８ｃの突出方向とが互いに合致する。この結果、井戸ふた本体１３の裏面１３ａに階段状に第１ないし第３の受け座１８ａ〜１８ｃを形成した構成でありながら、井戸ふた本体１３の肉厚が急激に変化したり、偏りを生じることはなく、この井戸ふた本体１３の各部の肉厚を均等化することができる。
【００６３】
したがって、井戸ふた本体１３を鋳造成形によって量産する場合に好都合となり、コスト的な面で有利となるとともに、寸法誤差や鋳造欠陥の少ない製品を容易に得ることができる。
【００６４】
そして、井戸ふた本体１３が薄肉で、かつ肉厚が均等化されれば、井戸ふた本体１３として鍛造成形品、板金プレス加工品あるいは合成樹脂材料を用いた射出成形品を採用することができ、材質や成形方法の自由が増大するといった利点がある。
【００６５】
なお、上記第１の実施の形態では、井戸ふた本体１３の他方のケーブル挿通孔３０ｂを栓体３１によって閉塞したが、例えば揚水管６の途中に水位検出用の電極を取り付けた場合には、この電極から延びるケーブルを他方のケーブル挿通孔３０ｂに導くようにしても良い。
【００６６】
また、井戸ケーシング２の内部に降水弁を設置する場合には、この降水弁のワイヤを他方のケーブル挿通孔３０ｂを通して地上に引き出すようにしても良い。
【００６７】
さらに、本発明は上記第１の実施の形態に特定されるものではなく、図７に本発明の第２の実施の形態を示す。
【００６８】
この第２の実施の形態は、第２のふた体２３にモータケーブル１０を通すケーブル挿通口４１を形成した点が上記第１の実施の形態と相違しており、それ以外の井戸ふた本体１３の基本的な構成は、第１の実施の形態と同様である。そのため、第２の実施の形態において、第１の実施の形態と同一の構成部分には、同一の参照符号を付してその説明を省略する。
【００６９】
図７に示すように、ケーブル挿通口４１は、座部１４の近傍から井戸ふた本体１３の径方向外側に向けて延びる切り欠きにて構成され、この井戸ふた本体１３の最外周のフランジ部２０に開口されている。そして、第２のふた体２３には、ケーブル挿通口４１とモータケーブル１０との間を埋めるゴム製のケーブルブッシュ４２が取り付けられており、モータケーブル１０はこのケーブルブッシュ４２を貫通している。
【００７０】
このような構成によれば、第１および第２のふた体２２，２３の合面２５にモータケーブル１０を通すための凹部を形成する必要はなく、この合面２５の形状を簡略化できる。それとともに、合面２５の接触面積をより多くして、第１および第２のふた体２２，２３の突き合わせ強度をより高めることができる。
【００７１】
また、図８は本発明の第３の実施の形態を開示している。
【００７２】
この第３の実施の形態は、井戸ケーシング２と井戸ふた本体１３とを位置合わせするための構成が上記第１の実施の形態と相違しており、それ以外の井戸ふた本体１３の基本的な構成は、上記第１の実施の形態と同様である。
【００７３】
井戸ふた本体１３は、平坦な円盤状をなしており、井戸ケーシング２の地上開口部２ａに水平に設置されている。この井戸ふた本体１３の裏面１３ａには、円筒状をなす一対のケーシングガイド５１ａ，５１ｂが同軸状に形成されている。ケーシングガイド５１ａ，５１ｂは、直径が互いに異なっており、井戸ふた本体１３の裏面１３ａから下向きに突出されている。
【００７４】
径の小さな内側のケーシングガイド５１ａは、例えば口径が100mmの井戸ケーシング２に対応するものであり、このケーシングガイド５１ａの外側に井戸ケーシング２の地上開口部２ａが嵌まり込むようになっている。径の大きな外側のケーシングガイド５１ｂは、例えば口径が150mmの井戸ケーシング２に対応するものであり、このケーシングガイド５１ｂの内側に井戸ケーシング２の地上開口部２ａが嵌まり込むようになっている。
【００７５】
このような構成において、井戸ふた本体１３を井戸ケーシング２の地上開口部２ａに被せるに当たり、井戸ケーシング２の口径に対応するようなケーシングガイド５１ａ，５１ｂを選択してこのケーシングガイド５１ａ，５１ｂを井戸ケーシング２の地上開口部２ａに嵌め込めば、井戸ケーシング２と井戸ふた本体１３との位置合わせがなされる。
【００７６】
したがって、ケーシングガイド５１ａ，５１ｂの存在により井戸ふた本体１３の径方向へのずれを防止することができ、一つの井戸ふた本体１３で口径が異なる二種類の井戸ケーシング２に対応することができる。
【００７７】
【発明の効果】
以上詳述した本発明によれば、井戸ふた本体で井戸ケーシングの地上開口部を塞ぐに当たっては、揚水管を間に挟み込むようにして一対のふた体を互いに突き合わせて連結すれば良く、揚水管を井戸ふた本体に差し通すといった面倒な作業が不要となる。このため、井戸ふた本体を井戸ケーシングの地上開口部に取り付けるに先立って、揚水管を井戸ふた本体に通しておく必要はなく、井戸ふた本体の据え付け手順の自由度が増大する。それとともに、井戸ふた本体は、揚水管を挟み込むようにして井戸ケーシングの地上開口部に取り付けられるので、この揚水管の上端部に予め大径な管継手や他の配管類を接続しておくことができる。よって、揚水管に対する配管接続作業が完了した後に、この揚水管に井戸ふた本体を取り付けることができ、井戸ふた本体の据え付け時の作業性が良好となる。
【００７８】
しかも、揚水管は、ふた体の保持部によって挟み込まれるので、これらふた体が揚水管を井戸ケーシングに仮固定する治具としての機能を兼ねることになる。このため、従来必要としていた仮固定用の治具およびこの治具の取り付け作業が不要となり、この点でも作業性の向上に寄与することになる。
【００７９】
また、井戸ふた本体は、単に一対のふた体に二分割するだけで良いので、その形状や構成が複雑化することはなく、安価に提供することができる。加えて、壁部の存在により、ふた体の接触面積を充分に確保できるとともに、壁部がふた体の突き合わせ部分を補強するリブとしての機能を果たし、ふた体の突き合わせ部分の強度を高めることができるといった利点がある。
【図面の簡単な説明】
【図１】井戸ケーシングの底部に井戸ふたを介して深井戸水中ポンプを吊り下げた状態を示す井戸の断面図。
【図２】井戸ケーシングの地上開口部に井戸ふたを取り付けた状態を示す側面図。
【図３】揚水管やモータケーブルが通された井戸ふたの平面図。
【図４】（Ａ）は、第１および第２のふた体を互いに分離させた状態を一部断面で示す井戸ふたの平面図。（Ｂ）は、第１および第２のふた体を互いに分離させた状態を一部断面で示す井戸ふたの側面図。
【図５】図４の（Ａ）の５Ｆ−５Ｆ線に沿う断面図。
【図６】井戸ケーシングの地上開口部に井戸ふたを取り付けた状態を示す断面図。
【図７】本発明の第２の実施の形態において、揚水管やモータケーブルが通された井戸ふたの平面図。
【図８】本発明の第３の実施の形態において、井戸ケーシングの地上開口部に井戸ふたを取り付けた状態を示す断面図。
【符号の説明】
２…井戸ケーシング、２ａ…地上開口部、３…深井戸水中ポンプ、６…揚水管、１２…井戸ふた、１３…井戸ふた本体、２２，２３…ふた体（第１のふた体、第２のふた体）、２４…壁部、２５…合面、２７…保持部、３５，３６…連結手段（ボルト、ナット）。
【図１】
0004607286.tif 000002
【図２】
0004607286.tif 000003
【図３】
0004607286.tif 000004
【図４】
0004607286.tif 000005
【図５】
0004607286.tif 000006
【図６】
0004607286.tif 000007
【図７】
0004607286.tif 000008
【図８】
0004607286.tif 000009